(57)【要約】【課題】二つの接続端子の接触面積を有効に増加して、相互接続する時、接触不良が発生しにくい接続器の改良構造を提供する。【解決手段】主として、固定部及び活動部を含み、前記固定部の二つの掛止体は活動部の押し引きレバーの柱体を収容でき、且つ前記固定部の接続端子及び活動部の接続端子は、対応して設置され、つまり一時的に固定部及び活動部の対応結合を完成し、接触導通するときは、活動部の上げ下げレバーを最後まで押し下げることによって、活動部の接続端子とプッシュロッドが固定部へ滑り始め、定位置まで滑動したら、前記活動部の接続端子が固定部の接続端子と緊密に接触すると共に、前記プッシュロッドが固定部の中に設置された押止部品を押し付け、前記押止部品は固定部の金属バネを同期して押し付ける、前記金属バネは、もう一つの金属バネに接触して、接続器の接続端子を互いに接続導通させる。【選択図】図２
0003126824.tif 000002
【実用新案登録請求の範囲】
【請求項１】
接続器の改良構造であって、
固定部と、活動部と、を含み、
前記固定部は、固定本体と、スプリングと、押止部品と、少なくとも一個以上の金属バネと、少なくとも一個以上の接続端子と、パッキング及び締め付け部品と、によって構成され、前記固定本体の前側には掛止体を延伸し、且つ掛止体の間には、スプリングを収容した押止部品をスライドさせるためのスライド溝が貫通してあり、又、スライド溝上方の両側には、それぞれ二つの上下に対応する嵌め込み溝を設置し、且つ嵌め込み溝の中にそれぞれ金属バネを収容し、且つ金属バネの適当なところで突起部を形成し、固定本体の両側に二つの溝穴を開設し、且つ二つの溝穴の中にねじ山を備えた接続端子を入れ、接続端子のネジ山が溝穴を抜け出すと、パッキングを嵌め、締め付け部品をネジ山に締め付けてあり、
前記活動部は、活動本体と、少なくとも一個以上の接続端子と、二つの止め環と、上げ下げレバーと、押し引きレバー及び二つの枢軸と、によって構成され、前記活動本体の前側には突起ブロックを延伸し、且つ突起ブロックの上に軸穴を開設してあり、活動本体の後ろ側には、押止部品の前側を押止するプッシュロッドを延伸し、更に活動本体の両側に二つの貫通孔を開設し、且つ貫通孔の中にそれぞれ接続端子を入れ、前記接続端子は、もう一つの接続端子と対応して設置され、接続端子が貫通孔から抜け出すと、中空の止め環を接続端子の後端に嵌め、接続端子が止め環に嵌められて固定され、最後に、二つの軸穴を開設した上げ下げレバーを突起ブロックの中に挿し入れ、上げ下げレバーの軸穴の一つと突起ブロックの軸穴を枢軸によって互いに枢接させる、上げ下げレバーのもう一つの軸穴は、押し引きレバーの一端にある軸穴と、枢軸によって互いに枢接する、又、押し引きレバーのもう一方の両側には、二つの掛止体の中に収容される二本の柱体が設置されており、上述各構成部品の組成によって、本件接続器の改良構造を形成することを特徴とする、
接続器の改良構造。
【請求項２】
前記押止部品は、スライド溝の中で滑走動作を行えることを特徴とする、請求項１に記載の接続器の改良構造。
【請求項３】
前記締め付け部品は、ナット又はその他の締め付け部品であってよいことを特徴とする、請求項１に記載の接続器の改良構造。
【請求項４】
前記固定部の接続端子の接続箇所は、それぞれ円錐体及び内円錐体であってよく、二つの接続端子を緊密に接触させることを特徴とする、請求項１に記載の接続器の改良構造。
【請求項５】
前記活動部の接続端子の接続箇所は、それぞれ円錐体及び内円錐体であってよく、二つの接続端子を緊密に接触させることを特徴とする、請求項１に記載の接続器の改良構造。
【請求項６】
前記上げ下げレバーを最後まで下へ押すと、活動部のプッシュロッドが押止部品の一端を押し止め、前記押止部品がその力を受けて内側へ向けて推移すると共に、前記押止部品の別の一端が金属バネの突起部に押し当たり、金属バネが上にはねてもう一枚の金属バネに接触することによって、接続導通回路を形成できることを特徴とする、請求項１に記載の接続器の改良構造。
【請求項７】
前記上げ下げレバーを最後まで押し上げると、活動部のプッシュロッドは押止部品の一端を押し止めることを止め、押止部品はバネの回復力によって元の位置に戻り、金属バネの突起部も押止部品の押し当てを受けなくなり、元の位置へ回復し、
前記二枚の金属バネが一時的に接触導通をやめ、次の接触導通を待機することを特徴とする、請求項１に記載の接続器の改良構造。
【考案の詳細な説明】
【技術分野】
【０００１】
本考案は、接続器の改良構造、特に接続器を連結する二つの接続端子を円錐体及び内円錐体として設計することによって、二つの接続端子の接触面積を有効に増加して、相互接続する時、接触不良が発生しにくい接続器の改良構造に関するものである。
【背景技術】
【０００２】
一般の接続器には多くの形式があり、図１によって説明すると、位置決め板１の上に接続器１１が設置され、前記接続器１１には数個の挿し込み穴１１１があり、且つ挿し込み穴１１１の中には接続線１２を挿し込むことができ、前記接続線１２の挿し込みプラグ１２１はやや隆起した状態の爪の形を呈し、接続線１２の挿し込みプラグ１２１が挿し込み穴１１１の中に挿し込まれると、挿し込みプラグ１２１が隆起した状態の爪の形を成しているので、その接触面積は点によって接触する。しかし、長時間使用すると、前記接続線１２の挿し込みプラグ１２１は、何回も挿したり抜いたりする結果、しまいには挿し込みプラグ１２１の爪が疲労して、接続器１１と接続線１２の接触不良を招く恐れがある。又、ユーザーが不注意で接続線１２を足に引っ掛けたり、蹴りつけたりして、接続線１２の挿し込みプラグ１２１が接続器１１の差込穴１１１から外れる事がある。
従って、従来の接続器には幾多の不便なところがあり、ユーザーにとっては、実にかなり困ったことである。
【０００３】
以上に見られるように、上述従来の接続器には尚多くの欠点があり、よい設計とは言いがたく、改良が待たれていた。
本案考案者は、上述従来の接続器に派生する各項の欠点に鑑み、極力新規改善を試み、且つ長年苦心研鑽の末、ついに本件に係る接続器の改良構造の研究開発を完成した。
【考案の開示】
【考案が解決しようとする課題】
【０００４】
本考案の目的は、接続器を連結する二つの接続端子を錐体及び内錐体として設計することによって、二つの接続端子の接触面積を有効に増加して、相互接続する時、接触不良が発生しにくい接続器の改良構造を提供することにある。
本考案の次の目的は、活動部の押し引きレバーの二つの柱体を利用して固定部の二つの掛止体の中に掛止することによって、活動部を固定部の接続端子において相互に緊密接触させ、且つ推し引きレバーを下へ向かって最後まで押すと、活動部のプッシュロッドが押止部品を後ろへ押して滑らせると共に、一枚の金属バネを別の金属バネに同期接触させて接触導通するような接続器の改良構造を提供することにある。
本考案のもう一つ別の目的は、接続器が接触導通を必要としない時は、只活動部の推し引きレバーを上に向けて最後まで引き上げると、活動部のプッシュロッドが後ろへ滑り、一方、押止部品はバネの回復力を受けてプッシュロッドの方向へ滑動する、このとき、押止部品は金属バネを押し止めることをやめ、前記金属バネも元の位置へ戻る、即ち、接触導通しない、従って、ユーザーも接続器を外す必要がなく、必要に応じて接続端子の導通を行うことができるような接続器の改良構造を提供することにある。
本考案の又もう一つ別の目的は、接続器の接続端子が緊密に接触できる特性によって、接続器の接続端子が脱落又は蹴られて外れる事を心配する必要のないような接続器の改良構造を提供することにある。
【課題を解決するための手段】
【０００５】
上述実用新案の目的を達成できる接続器の改良構造は、固定部及び活動部などの構成部品によって組成される。前記固定部は、固定本体と、スプリングと、押止部品と、二枚の金属バネと、二つの第一接続端子と、パッキング及び締め付け部品と、によって構成され、前記固定本体の前端には二つの掛止体を延伸し、且つ二つの掛止体の間には、スプリングを収容した押止部品をスライドさせるためのスライド溝が貫通している。又、スライド溝上方の両側には、それぞれ二つの上下に対応する嵌め込み溝を設置し、且つ二つの嵌め込み溝の中にそれぞれ第一・第二金属バネを収容して、第一・第二金属バネを上下に設置し、下方に設置された第一金属バネの適当なところで突起部を形成している。また、固定本体の両側に二つの溝穴を開設し、且つ二つの溝穴の中にネジ山を備えた第一接続端子を入れ、第一接続端子のネジ山が溝穴を抜け出すと、パッキングを嵌め、締め付け部品をネジ山に締め付ける。前記活動部は、活動本体と、二つの第二接続端子と、二つの止め環と、上げ下げレバーと、押し引きレバー及び二つの枢軸と、によって構成され、前記活動本体の前側には突起ブロックが延伸し、且つ突起ブロックの上に軸穴を開設してある、活動本体の後ろ側には、押止部品の前側を押止するプッシュロッドを延伸し、更に活動本体の両側に二つの貫通孔を開設し、且つ貫通孔の中にそれぞれ第二接続端子を入れ、前記第二接続端子は、第一接続端子と対応して設置され、第二接続端子が貫通孔から抜け出すと、中空の止め環を第二接続端子の後端に嵌め、第二接続端子が止め環に嵌められて固定される、最後に、二つの軸穴を開設した上げ下げレバーを突起ブロックの中に挿し入れ、上げ下げレバーの軸穴の一つと突起ブロックの軸穴を枢軸によって互いに枢接させる、上げ下げレバーのもう一つの軸穴は、押し引きレバーの一端にある軸穴と、枢軸によって互いに枢接する、又、押し引きレバーのもう一方の両側には、二つの掛止体の中に収容される二本の柱体が設置されている、上述各構成部品の組成によって、本件接続器の改良構造を形成する。
【考案の効果】
【０００６】
本考案に係る接続器の改良構造は、その他従来の技術に比べ、更に下記のような長所がある、
１．  本考案は、前記接続器を接続する二つの接続端子を円錐体及び内円錐体として設計し、二つの接続端子の接続面積を有効に増やし、接続したとき、二つの接続端子の接触不良が発生しにくい。
２．  本考案は、活動部の押し引きレバーの二つの柱体を固定部の掛止体に掛止し、更に上げ下げレバーによって前記押し引きレバーを動かすと共に、押し引きレバーの二つの柱体をシッカリと掛止体に掛止させることによって、活動部を固定部の接続端子に緊密に接触させ、且つ上げ下げレバーを最後まで下へ押すと、活動部のプッシュロッドが押止部品を押し付けて後ろへ滑らせ、押止部品が同期して金属バネをもう一枚の金属バネに接触させて、接触導通を達成する。
３．  本考案では、接続器に接続導通する必要がないときは、ただ活動部の上げ下げバーを最後まで押し上げると、活動部のプッシュロッドが後ろへ滑動し、押止部品はスプリングの回復力を受けてプッシュロッドの方へ滑動する、このとき、押止部品は金属バネを押し付けることを止め、前記金属バネも元の位置へ戻るため、接触導通しない、従って、ユーザーも接続器を外す必要がなく、接続端子の導通を行うことができる。
４．  本考案では、接続器の接続端子が緊密に接触する特性を備えているので、接続器の接続端子が脱落したり蹴られて分離する恐れがない。
５．  本考案では、構造が簡単で、操作が容易且つ低コストで接続器の改良構造を提供できる。
【考案を実施するための最良の形態】
【０００７】
図２及び図３は、本考案に係る接続器の改良構造を示し、主として、固定部２と、活動部３と、を含み、
前記固定部は、固定本体２１と、スプリング２２と、押止部品２３と、第一・第二金属バネ２４・２５と、二つの第一接続端子２６と、パッキング２７と、締め付け部品２８と、によって構成され、前記固定本体２１の前側に二つの掛止体２１１を延伸し、且つ二つの掛止体２１１の間には、スプリング２２を収容した押止部品２３をスライドさせるためのスライド溝２１２が貫通している。又、スライド溝２１２上方の両側には、それぞれ二つの上下に対応する嵌め込み溝２１３を設置し、且つ二つの嵌め込み溝２１３の中にそれぞれ第一・第二金属バネ２４・２５を収容して、第一・第二金属バネ２４・２５を上下に設置し、下方に設置された第一金属バネ２４の適当なところで突起部２４１を形成している。また、固定本体２１の両側に二つの溝穴２１４を開設し、且つ二つの溝穴２１４の中にネジ山を備えた第一接続端子２６を入れ、第一接続端子のネジ山が溝穴２１４を抜け出すと、パッキング２７を嵌め、締め付け部品２８をネジ山に締め付ける。前記押止部品２３は、スライド溝２１２の中で滑って移動することができる。前記二つの第一接続端子２６の接続箇所はそれぞれ円錐体端子及び内円錐体端子であってよい。
前記活動部３は、活動本体３１と、二つの第二接続端子３２と、二つの止め環３３と、上げ下げレバー３４と、押し引きレバー３５及び二つの枢軸３６と、によって構成され、前記活動本体３１の前側には突起ブロック３１１が延伸し、且つ突起ブロック３１１の上に軸穴３１１１を開設してある、活動本体３１の後ろ側には、押止部品２３の前側を押止するプッシュロッド３１２を延伸し、更に活動本体３１の両側に二つの貫通孔３１３を開設し、且つ貫通孔３１３の中にそれぞれ第二接続端子３２を入れ、前記第二接続端子３２は、第一接続端子２６と対応して設置され、第二接続端子３２が貫通孔３１３から抜け出すと、中空の止め環３３を第二接続端子３２の後端に嵌め、第二接続端子３２が止め環３３に嵌められて固定する、最後に、二つの軸穴３４１・３４２を開設した上げ下げレバー３４を突起ブロック３１１の中に挿し入れ、上げ下げレバー３４の軸穴３４１の一つと突起ブロック３１１の軸穴３１１１を枢軸３６によって互いに枢接させる、上げ下げレバー３４のもう一つの軸穴３４２は、押し引きレバー３５の一端にある軸穴３５１と、枢軸３６によって互いに枢接する、又、押し引きレバー３５のもう一方の両側には、二つの掛止体２１１の中に掛止される二本の柱体３５２が設置されている、前記二つの第二接続端子３２の接続箇所はそれぞれ円錐体端子及び内円錐体端子であってよい。
上述各構成部品の組成によって、本件接続器の改良構造を形成する。
【０００８】
図４Ａ,Ｂ,Ｃは、前記接続器の改良構造の断面実施略図を示す、先ず、固定部２を位置決め板１の上に固定し、次に活動部３の柱体３５２を固定部２の掛止体２１１の中に掛止することによって、第一接続端子２６及び第二接続端子３２が対応して設置される（図４Ａに示すように）。もし接続導通を行う場合は、先ず上げ下げレバー３４を下向きに最後まで押さえると、プッシュロッド３１２が押止部品２３の一端に押し当たる、前記押止部品２３はその力を受けて中の方へ推移し、同時に前記押止部品２３の別の一端が第一金属バネ２４の突起部２４１に押し当たり、第一金属バネ２４が上にはねて第二金属バネ２５に接触して、接続導通する回路を形成することができる（図４Ｂ，Ｃに示すように）、これに反し、もしプッシュロッド３１２が引き続き押止部品２３に押し当たらない場合は、只上げ下げレバー３４を上向きに最後まで押し上げると、プッシュロッド３１２は押止部品２３の一端に押し当たらなくなる、そして、押止部品２３にセットされたスプリング２２の回復力によって、押止部品２３を元の位置へ戻すことができる、第一金属バネ２４の突起部２４１も押止部品２３に押し止められないので、元の位置へ戻り、前記第一金属バネ２４も第二金属バネ２５と一時的に接触導通せず、次の接触導通を待機する。従って、上述第一・第二接続端子２６・３２が円錐体及び内円錐体の形で接触する方式によって、二つの接続端子２６・３２の連結接触が面接触となり、有効に接触面積を増進し、接触不良のような事情が発生しにくくなり、且つ前記接続器は固定部２及び活動部３が相互に掛止する方式であるので、接続器の固定部２と活動部３が脱落することがなく、上述の操作方式によって、マルチ用途の機能を果たすことができる。
【０００９】
上記詳細な説明は、本考案の実行可能な実施例についての具体的説明である、但し、前記実施例は本考案の請求の範囲を制限するものではなく、凡そ本考案の技芸精神を逸脱せずになされる等価実施又は変更は、すべて本案の請求の範囲に含まれるものとする。
【図面の簡単な説明】
【００１０】
【図１】従来の接続器の斜視分解図である。
【図２】本考案に係る接続器の改良構造の斜視分解図である。
【図３】前記接続器の改良構造の斜視結合図である。
【図４Ａ】前記接続器の改良構造の断面実施例略図である。
【図４Ｂ】前記接続器の改良構造の断面実施例略図である。
【図４Ｃ】前記接続器の改良構造の断面実施例略図である。
【符号の説明】
【００１１】
１        位置決め板      １１      接続器
１１１    挿し込み穴      １２      接続線
１２１    挿し込みプラグ  
２        固定部
２１      固定本体        ２１１    掛止体
２１２    スライド溝      ２１３    嵌め込み溝
２２      スプリング      ２３      押止部品
２４      第一金属バネ    ２４１    突起部
２５      第二金属バネ    ２６      第一接続端子
２７      パッキング      ２８      締め付け部品
３        活動部          ３１      活動本体
３１１    突起ブロック    ３１１１  軸穴
３１２    プッシュロッド  ３１３    貫通孔
３２      第二接続端子    ３３      止め環
３４      上げ下げレバー  ３４１    軸穴
３４２    軸穴            ３５      押し引きレバー
３５１    軸穴            ３５２    柱体
３６      枢軸
【図１】
0003126824.tif 000003
【図２】
0003126824.tif 000004
【図３】
0003126824.tif 000005
【図４Ａ】
0003126824.tif 000006
【図４Ｂ】
0003126824.tif 000007
【図４Ｃ】
0003126824.tif 000008